(57)【要約】【課題】制御された融合用のプラズマを含む高密度高温プラズマの安定状態を形成する方法を得る。【解決手段】本方法は、パルス大電流放電内において高密度高温プラズマを生成する段階と、これに続いて、帯状エネルギースペクトルを有する電子の重力放射の条件に対応したパラメータを有する磁場エリアからプラズマを注入する段階と、スペクトルに沿った（ｅＶエネルギーの）長波長領域内への後続のエネルギー移動（カスケード遷移）段階を有しており、これは、流体静力学的平衡状態へのその同時圧縮と共に、プラズマ内における重力放射のロッキング及び増幅状態に結びついており、適切な重力場内における電子の基底エネルギーレベル（ｋｅＶの領域）からの自発重力放射をクエンチングするべく、作動ガスの成分内において、不可欠な要素として、多電子原子を使用している。【選択図】図１
2015092495.tif 000002
【特許請求の範囲】
【請求項１】
高密度高温プラズマの安定状態を形成する方法において、
（ａ）パルス大電流放電によって、水素のアイソトープと多電子原子を含む作動ガス組成から高密度高温プラズマを生成する段階と、
（ｂ）バンドエネルギースペクトルを有する電子の重力波放射の条件に対応したパラメータを有する磁場エリアから前記プラズマを注入する段階であって、これによってｅＶエネルギーの長波長領域内へのカスケード遷移によって実行される、前記プラズマ内における前記重力波放射のロッキング及び増幅状態への、前記スペクトルに沿ったエネルギー移動と、これと同時の流体静力学的平衡状態への圧縮とを提供する段階であり、前記多電子原子は、自身の重力場内におけるｋｅＶの領域の電子のより低いエネルギーレベルからの自発重力波放射をクエンチングするために使用される、前記段階と、を備える方法。
【請求項２】
請求項１に記載の方法において、高密度高温プラズマの定常状態を得るために、水素と炭素を含む、水素および多電子原子が共に、炭素サイクル核融合反応を実現するために使用され、炭素と中間炭素サイクル生成物（窒素及び酸素）は、ｋｅＶエネルギーの重力波スペクトルのクエンチングのために、かつ、核融合反応触媒として、使用される、方法。
【発明の詳細な説明】
【技術分野】
【０００１】
本発明は、例えば、核融合制御などに使用可能な高密度高温プラズマの安定状態を形成する方法に関するものである。
【背景技術】
【０００２】
核融合に適用可能な高密度高温プラズマの安定状態の実現に関係した当技術分野における現在の状態は、特許請求されている方法の中の個別の技術を実現することが可能な装置での磁場によるプラズマの形成及び閉じ込めの段階として定義可能であり、従って、これは、この方法それ自体、即ち、高密度高温プラズマの安定状態を実現する方法ではない。この観点から、特許請求されている方法に類似のものはない。
【０００３】
最新技術においては、大電流パルス放電が知られており、これは、作動ガス（０．５〜１０ｍｍＨｇの圧力の重水素、水素、重水素−トリチウム混合物、或いは、０．０１〜０．１ｍｍＨｇの圧力の希ガス）が充填された円筒形の放電チャンバ（この場合には、その端面が電極として機能している）を使用して形成される。次いで、陽極に印加された２０〜４０ｋＶの電圧と、約１ＭＡに到達する放電形成における電流とにより、ガスを通じて強力なキャパシタバッテリの放電を実現している。実験（Ｌｕｋｙａｎｏｖ  Ｓ．  Ｙｕによる「Ｈｏｔ  Ｐｌａｓｍａ  ａｎｄ  Ｃｏｎｔｒｏｌｌｅｄ  Ｆｕｓｉｏｎ」（Ｍｏｓｃｏｗ、Ａｔｏｍｉｚｄａｔ、１９７５年（ロシア語））においては、まず、プロセスの第１フェーズ−電流チャネルの直径の略１０分１の減少を伴う電流磁場による軸へのプラズマの圧縮と、放電軸（ｚピンチ）上における白熱して輝くプラズ柱の形成−が観察され、プロセスの第２フェーズにおいては、電流チャネルの急速な不安定化（ねじれや螺旋状の混乱など）の進展が観察される。
【０００４】
これらの不安定性の増大は、非常に急速に発生してプラズマ柱の劣化に結びつき（プラズマジェットの噴出や放電の中断など）、この結果、放電持続時間は、１０'''ｓのレベルの値に制限されることになる。このため、直線型のピンチにおいて、ローソン基準のｎτ＞１０14ｃｍ-3ｓによって定義された核融合条件を満足させることは非現実的であることがわかる（ここで、ｎは、プラズマの濃度であり、τは、放電持続時間である）。
【０００５】
類似の状況は、方位電流を誘発する外部長手方向磁場を円筒形の放電チャンバに印加した際に、Θ−ピンチにおいても発生する。
【０００６】
磁気トラップについては、周知であり、これらは、限定された容積内に長時間にわたって（但し、これは、核融合が進行するのに十分なものではない）高温プラズマを閉じ込める能力を有している（Ａｒｔｓｉｍｏｖｉｃｈ  Ｌ．  Ａ．による「Ｃｌｏｓｅｄ  Ｐｌａｓｍａ  Ｃｏｎｆｉｇｕｒａｔｉｏｎ」（Ｍｏｓｃｏｗ、Ａｔｏｍｉｚｄａｔ、１９６９年（ロシア語）を参照されたい）。磁気トラップには、クローズド型とオープン型という２つの主要な種類が存在している。
【０００７】
磁気トラップは、限られた容積内に十分に長い時間にわたって高温プラズマを閉じ込める能力を有する装置であり、これらについては、Ａｒｔｓｉｍｏｖｉｃｈ  Ｌ．  Ａ．による「Ｃｌｏｓｅｄ  Ｐｌａｓｍａ  Ｃｏｎｆｉｇｕｒａｔｉｏｎｓ」（Ｍｏｓｃｏｗ、Ａｔｏｍｉｚｄａｔ、１９６９年）に記述されている。
【０００８】
クローズドタイプの磁気トラップ（このタイプのものには、制御された核融合（ＣＮＵ）の条件を実現するという希望が多年にわたって託されていた）には、トカマク（Ｔｏｋａｍａｋ）、スフェロマク（Ｓｐｈｅｒｏｍａｋ）、及びステラレーター（Ｓｔｅｌｌａｒａｔｏｒ）タイプの各装置が属しており、様々な変更を有している（Ｌｕｋｙａｎｏｖ  Ｓ．  Ｙｕによる「Ｈｏｔ  Ｐｌａｓｍａ  ａｎｄ  ＣＮＵ」（Ｍｏｓｃｏｗ、Ａｔｏｍｉｚｄａｔ、１９７５年（ロシア語））。
【０００９】
トカマクタイプの装置においては、磁力線の回転変換を生成するリング電流をプラズマ内において励起している。スフェロマクは、プラズマ内のドーナツ形磁場を有する小型のトーラスを表している。ステラレーターにおいては、プラズマ内におけるドーナツ形電流の励起を伴うことなしに実行される磁力線の回転変換が実現されている（Ｖｏｌｋｏｖ  Ｅ．  Ｄ．他による「Ｓｔｅｌｌａｒａｔｏｒ」（Ｍｏｓｃｏｗ、Ｎａｕｋａ、１９８３年（ロシア語））。
【００１０】
直線形状を有するオープンタイプの磁気トラップは、磁気ボトル、同時二極性トラップ、ガスダイナミックタイプトラップである（Ｒｙｕｔｏｖ  Ｄ．  Ｄ．による「Ｏｐｅｎ  ｔｒａｐｓ」（Ｕｓｐｅｋｈｉ  Ｆｉｚｉｃｈｅｓｋｉｋｈ  Ｎａｕｋ、１９８８年、１５４巻、５６５頁）。
【００１１】
オープンタイプとクローズドタイプのトラップは、それらの様々な設計の違いにも拘わらず、ガス動力学的なプラズマの圧力とプラズマの外部境界における磁場圧力の均衡を通じた磁場内におけるプラズマの流体静力学的平衡状態の実現という１つの原理に基づいている。これらのトラップの著しい多様性は、良好な結果の欠如に由来するものである。
【００１２】
ＰＦ（Ｐｌａｓｍａ  Ｆｏｃｕｓ）装置（電気放電をこのように呼んでいる）を使用する場合には、高密度高温の（一般には、重水素の）プラズマの非静止状態における集群が得られる（この集群は、「プラズマフォーカス」とも呼ばれている）。ＰＦは、ピンチのカテゴリに属しており、特殊な設計を具備した放電チャンバの軸上の電流シース塊のエリア内に形成される。この結果、直接的なピンチとは対照的に、プラズマフォーカスは、非円筒形の形状を獲得する（Ｐｅｔｒｏｖ  Ｄ．  Ｐ．他による「Ｐｏｗｅｒｆｕｌ  ｐｕｌｓｅｄ  ｇａｓ  ｄｉｓｃｈａｒｇｅ  ｉｎ  ｃｈａｍｂｅｒｓ  ｗｉｔｈ  ｃｏｎｄｕｃｔｉｎｇ  ｗａｌｌ」（「Ｐｌａｓｍａ  Ｐｈｙｓｉｃｓ  ａｎｄ  Ｐｒｏｂｌｅｍ  ｏｆ  Ｃｏｎｔｒｏｌｌｅｄ  Ｔｈｅｒｍｏｎｕｃｌｅａｒ  Ｒｅａｃｔｉｏｎｓ」論文集、第４巻、Ｍｏｓｃｏｗ、Ｉｚｄａｔｅｌ’ｓｔｖｏ  ＡＮ  ＳＳＳＲ、１９５８年（ロシア語））。
【００１３】
直線形のピンチ装置（この場合には、電極の機能がチャンバの端面によって実行される）とは異なり、ＰＦにおいては、陰極の役割は、チャンバ本体によって果たされており、この結果、プラズマの集群は、漏斗の形態を獲得する（この装置の名称は、これに由来している）。円筒形のピンチと同一の作動パラメータによれば、ＰＦ装置内においては、相対的に高い温度、密度、並びに、長い持続時間を具備したプラズマを得ることが可能であるが、直線形のピンチの場合と同様に、後続する不安定性の進展により、放電が破壊され（Ｂｕｒｔｓｅｖ  Ｂ．  Ａ．他による「Ｈｉｇｈ−ｔｅｍｐｅｒａｔｕｒｅ  ｐｌａｓｍａ  ｆｏｒｍａｔｉｏｎｓ」（Ｉｔｏｇｉ  Ｎａｕｋｉ  ｉ  Ｔｅｋｈｎｉｋｉ、「Ｐｌａｓｍａ  Ｐｈｙｓｉｃｓ」シリーズ、第２巻、Ｍｏｓｃｏｗ、Ｉｚｄａｔｅｌ’ｓｔｖｏ  ＡＮ  ＳＳＳＲ、１９８１年（ロシア語））、実際には、プラズマの安定状態は、実現されない。
【００１４】
高温プラズマの非静止状態の集群は、（同軸プラズマ注入器を有する装置を使用した）同軸構成の電極を有するガス放電チャンバにおいても得られる。このような種類の最初の装置は、Ｊ．  Ｍａｔｈｅｒにより、１９６１年に作動している（Ｍａｔｈｅｒ  Ｊ．  Ｗ．、「Ｆｏｒｍａｔｉｏｎ  ｏｎ  ｔｈｅ  ｈｉｇｈ−ｄｅｎｓｉｔｙ  ｄｅｕｔｅｒｉｕｍ  ｐｌａｓｍａ  ｆｏｃｕｓ」、Ｐｈｙｓ．  Ｆｌｕｉｄｓ、１９６５年、第８巻、３６６頁）。この装置は、更に改良されている（具体的には、Ｊ．  Ｂｒｚｏｓｋｏ他によるＰｈｙｓ．  Ｌｅｔ．  Ａ．、１９２（１９９４年）、２５０頁、Ｐｈｙｓ．  Ｌｅｔ．  Ａ．、１５５（１９９１年）、１６２頁を参照されたい）。この改良の重要な要素は、多電子原子によってドーピングされた作動ガスの使用であった。このような装置内におけるプラズマの注入は、円筒形チャンバの同軸構成によって実現されており、この場合に、陽極として機能する内部チャンバは、形状的に、外部シリンダ（陰極）よりも低い位置に配設されている。Ｊ．  Ｂｒｚｏｓｋｏの研究においては、プラズマ集群の生成効率が、水素に多電子原子をドーピングした場合に増大するということが指摘されている。しかしながら、これらの装置内においては、不安定性の進展により、プラズマの持続時間が同様に大幅に制限されている。この結果、この持続時間は、核融合反応の安定した進行のための条件を実現するのに必要とされるものを下回っている。明確な設計上の特徴により（具体的には、円錐同軸電極の使用により）、このような装置は、既にプラズマ注入装置である（Ｍ．  Ｐ．  Ｋｏｚｌｏｖ及びＡ．  Ｉ．  Ｍｏｒｏｚｏｖ（Ｅｄｓ．）による「Ｐｌａｓｍａ  Ａｃｃｅｌｅｒａｔｏｒｓ  ａｎｄ  Ｉｏｎ  Ｇｕｎｓ」、Ｍｏｓｃｏｗ、Ｎａｕｋａ、１９８４年（ロシア語））。前述の装置（円錐円筒形電極を有する装置）においては、電極間のスペース内へのプラズマの注入が行われているが、プラズマ崩壊に至るすべての段階において、プラズマは磁場エリア内に留まっている。純粋な形態においては、円錐同軸電極を有する装置内においては、電極間のスペースからのプラズマの注入が観察される。プラズマ注入器の適用分野は、その後続の使用に伴うプラズマ注入のための補助的なものと見なされており（例えば、レーザー装置内などにおいて、トカマクタイプの装置内におけるパワーを更にポンピングするためなど）、この結果、今度は、パルスモードではなく、準定常モードにおいて、これらの装置の使用法が制限されている。
【先行技術文献】
【非特許文献】
【００１５】
【非特許文献１】Ｌｕｋｙａｎｏｖ  Ｓ．  Ｙｕによる「Ｈｏｔ  Ｐｌａｓｍａ  ａｎｄ  Ｃｏｎｔｒｏｌｌｅｄ  Ｆｕｓｉｏｎ」（Ｍｏｓｃｏｗ、Ａｔｏｍｉｚｄａｔ、１９７５年
【非特許文献２】Ａｒｔｓｉｍｏｖｉｃｈ  Ｌ．  Ａ．による「Ｃｌｏｓｅｄ  Ｐｌａｓｍａ  Ｃｏｎｆｉｇｕｒａｔｉｏｎ」（Ｍｏｓｃｏｗ、Ａｔｏｍｉｚｄａｔ、１９６９年
【非特許文献３】Ｖｏｌｋｏｖ  Ｅ．  Ｄ．他による「Ｓｔｅｌｌａｒａｔｏｒ」（Ｍｏｓｃｏｗ、Ｎａｕｋａ、１９８３年
【非特許文献４】Ｒｙｕｔｏｖ  Ｄ．  Ｄ．による「Ｏｐｅｎ  ｔｒａｐｓ」（Ｕｓｐｅｋｈｉ  Ｆｉｚｉｃｈｅｓｋｉｋｈ  Ｎａｕｋ、１９８８年、１５４巻、５６５頁
【非特許文献５】Ｐｅｔｒｏｖ  Ｄ．  Ｐ．他による「Ｐｏｗｅｒｆｕｌ  ｐｕｌｓｅｄ  ｇａｓ  ｄｉｓｃｈａｒｇｅ  ｉｎ  ｃｈａｍｂｅｒｓ  ｗｉｔｈ  ｃｏｎｄｕｃｔｉｎｇ  ｗａｌｌ」（「Ｐｌａｓｍａ  Ｐｈｙｓｉｃｓ  ａｎｄ  Ｐｒｏｂｌｅｍ  ｏｆ  Ｃｏｎｔｒｏｌｌｅｄ  Ｔｈｅｒｍｏｎｕｃｌｅａｒ  Ｒｅａｃｔｉｏｎｓ」論文集、第４巻、Ｍｏｓｃｏｗ、Ｉｚｄａｔｅｌ’ｓｔｖｏ  ＡＮ  ＳＳＳＲ、１９５８年
【非特許文献６】Ｂｕｒｔｓｅｖ  Ｂ．  Ａ．他による「Ｈｉｇｈ−ｔｅｍｐｅｒａｔｕｒｅ  ｐｌａｓｍａ  ｆｏｒｍａｔｉｏｎｓ」（Ｉｔｏｇｉ  Ｎａｕｋｉ  ｉ  Ｔｅｋｈｎｉｋｉ、「Ｐｌａｓｍａ  Ｐｈｙｓｉｃｓ」シリーズ、第２巻、Ｍｏｓｃｏｗ、Ｉｚｄａｔｅｌ’ｓｔｖｏ  ＡＮ  ＳＳＳＲ、１９８１年
【非特許文献７】Ｍａｔｈｅｒ  Ｊ．  Ｗ．、「Ｆｏｒｍａｔｉｏｎ  ｏｎ  ｔｈｅ  ｈｉｇｈ−ｄｅｎｓｉｔｙ  ｄｅｕｔｅｒｉｕｍ  ｐｌａｓｍａ  ｆｏｃｕｓ」、Ｐｈｙｓ．  Ｆｌｕｉｄｓ、１９６５年、第８巻、３６６頁
【非特許文献８】Ｊ．  Ｂｒｚｏｓｋｏ他によるＰｈｙｓ．  Ｌｅｔ．  Ａ．、１９２（１９９４年）、２５０頁、Ｐｈｙｓ．  Ｌｅｔ．  Ａ．、１５５（１９９１年）、１６２頁
【非特許文献９】Ｍ．  Ｐ．  Ｋｏｚｌｏｖ及びＡ．  Ｉ．  Ｍｏｒｏｚｏｖ（Ｅｄｓ．）による「Ｐｌａｓｍａ  Ａｃｃｅｌｅｒａｔｏｒｓ  ａｎｄ  Ｉｏｎ  Ｇｕｎｓ」、Ｍｏｓｃｏｗ、Ｎａｕｋａ、１９８４年
【発明の概要】
【発明が解決しようとする課題】
【００１６】
従って、磁場によるプラズマの閉じ込めに基づいた既存の最新技術は、核融合反応が進行可能な状態にプラズマを加熱するという問題を効果的に解決してはいるが、これらの反応が進行するのに必要とされる期間にわたって高密度高温プラズマを閉じ込めるという問題を解決してはいない。
【課題を解決するための手段】
【００１７】
本発明者は、前述の問題の解決策を提案するものであり、これは、当技術分野において既知の手段（装置）の新しい組み合わせによって実現可能であり（これらの組み合わせ（先程検討したパラメータ）の使用は、これまで使用されていないのみならず、最新技術において提案又は想定されてもいない）、これについては、本発明の実施法について説明しているセクション及び添付の請求項の組内において更に詳細に説明することとする。
【００１８】
従って、本発明は、高密度高温プラズマの安定状態を形成する方法に関係するものであって、（ａ）パルス大電流放電を利用した水素及びそのアイソトープからの高密度高温プラズマの生成と、（ｂ）帯状エネルギースペクトルを有する電子の重力放射の条件に対応したパラメータを有する磁場エリアからのプラズマの注入と、（ｃ）スペクトルに沿ったエネルギー移動と、という段階を有している。
【００１９】
エネルギー移動（段階ｃ）は、重力放射のロッキング及び増幅状態に対するｅＶエネルギーの長波長領域内へのカスケード遷移と、流体性力学的平衡状態への同時圧縮と、によって実行され、且つ、前述の状態の形成においては、適切な重力場内におけるｋｅＶ領域の電子の基底エネルギーレベルからの自発重力放射をクエンチングするべく、作動ガスの成分内において多電子原子を使用している。
【００２０】
高密度高温プラズマの安定状態を得るための本発明の一実施例においては、水素と、クリプトン、キセノン、及びその他の同族元素（ネオン、アルゴン）などの多電子原子を使用することが好ましい。
【００２１】
本発明の別の好適な実施例においては、核融合反応が進行するための条件を実現するべく、水素及び炭素が使用されており、この場合に、炭素は、ｋｅＶのエネルギーを有する重力放射のスペクトルのクエンチングと、融合反応触媒としての両方の目的に利用されている。
【００２２】
請求の範囲に記載の方法は、高密度高温プラズマの安定状態を形成する方式を提供しており、この方式は、作動ガスを供給する装置と、放電チャンバと、放電回路と、安定したプラズマ集群を形成するチャンバと、を有している。
【００２３】
必要に応じて、この方式の引用されているブロックのそれぞれに対して、適切な計測機器を装着可能である。
【００２４】
本発明は、円錐同軸電極を有する多価イオン上におけるパルス大電流磁気圧縮放電の回路図によって表されており、これは、（１）内部電極２と外部電極３間のギャップ内に作動ガスを供給する高速作動バルブと、（２）外部電極と、（３）円錐のものに近接した狭まった表面を具備する内部電極と、（４）圧縮エリア内への混合物の進入を防止するダイバータチャネルと、（５）放電回路と、（６）磁場による圧縮エリアと、（７）送出プラズマジェット内の流出電流に起因した圧縮と放射重力場による後続の圧縮の領域と、を含んでいる。
【図面の簡単な説明】
【００２５】
【図１】本発明の方法を実施するためのマグネットプラズマコンプレッサの概略回路図。
【発明を実施するための形態】
【００２６】
［本出願において使用されている用語及び定義］
「高密度高温プラズマの安定状態」という定義は、ガスダイナミック圧力が磁場の圧力（又は、このケースにおいては、放射重力場の圧力）と釣り合っている際のプラズマの流体静力学的平衡状態を意味している。
【００２７】
「高密度高温プラズマ」という定義は、より低い密度値ｎC、ｎi＝（１０23−１０25）ｍ-3及び温度Ｔc、Ｔi＝（１０7−１０8）Ｋを有するプラズマを意味している。
【００２８】
「電子の重力放射に対応したプラズマパラメータ」（これは、帯状放射スペクトルを有している）という定義は、前述の圧力及び温度の範囲内のパラメータを意味している。
【００２９】
「プラズマ内にける重力放射のロッキング」という定義は、プラズマ内の重力放射の状態を意味しており、この状態は、その放射周波数と電子ラングミュア周波数が等しい場合に発生する。このケースにおいては、放射のロッキングは、「放射周波数（１０13−１０14）を実現し、且つ、プラズマラングミュア周波数を電子周波数と等しくする長波長領域内へのカスケード遷移の結果としての、長波長領域内へのスペクトルに沿ったエネルギーの移動、これは、プラズマ内における重力放射のロッキングの条件である」と「励起電子のエネルギーが、対応したレベルを有するイオンに移動し、そのイオン化に結びつく際の、基底エネルギーレベルからの電子の自発的重力放射の、多電子原子によるクエンチング」という２つの理由から発生する。
【００３０】
「重力放射の増幅」という定義は、ロッキング条件が満足されると、重力放射がプラズマ内に留まり、重力場の合計エネルギーの連続的な放射がプラズマ内にロッキングされることから、重力放射がロッキングされた際に発生する増幅を意味している。
【００３１】
本発明を更に十分に理解できるように、この提案されている方法において実行される高温プラズマの形成に関する説明と、それらの安定状態を流体静力学的平衡状態として形成する方法に関する説明を以下に提示する。添付の請求項の組において、特許請求されている帯状スペクトルを有する電子の重力放射の条件、プラズマ内における重力放射の励起の条件、及びカスケード遷移に起因したロッキング及び増幅について説明する。
【００３２】
［１．電磁放射と同一レベルの放射としての帯状スペクトルを有する電子の重力放射］
適切な重力場内における電子の定常状態の帯状スペクトルを表す対象の数学的なモデルに関しては、２つの側面が重要である。第１に、アインシュタインの場の方程式においては、κは、方程式の基点がκ値の数値的な制限と結び付けられないように、空間／時間の幾何学的特性を物理的な事物の分布と関連させる定数である。ニュートンの古典重力理論との一致という要件のみが、小さなκ＝８πＧ／ｃ4に結びついている（ここで、Ｇ、ｃは、それぞれ、ニュートンの重力定数と光の速度である）。このような要件は、ニュートンの重力理論の相対性理論の一般化として、アインシュタインの一般相対性理論（ＧＲＴ）の基礎概念から導出される。第２に、相対性理論の重力方程式の最も一般的な形態は、∧項を有する式である。弱い場への限定的な遷移は、次の式に結びついている。
【００３３】
ΔΦ＝−４πρＧ＋∧ｃ2
【００３４】
ここで、Φは、フィールドスカラーポテンシャル、ρは、ソース密度である。ＧＴＲは、このケースにおいてのみ、古典重力理論の一般化であるため、この状況は、最終的に、∧項を無視するために非常に重要である。従って、κ＝８πＧ／ｃ4の数値とＧＴＲ方程式内の∧＝０は、式の基点とは関連付けられておらず、古典理論とＧＴＲの一致からのみ導出されるものである。
【００３５】
７０年代以降に、量子領域においては、Ｇの数値は、量子力学の原理と互換性を有していないことが明らかになっている（Ｓｉｒａｖａｍ  Ｃ．及びＳｉｎｈａ  Ｋ．によるＰｈｙｓ．  Ｒｅｓ．  ５１（１９７９年）１１２）。いくつかの論文には、量子領域内においては、結合定数Ｋ（Ｋ≒１０40Ｇ）を許容可能であることが示されている（Ｓｉｒａｖａｍ  Ｃ．及びＳｉｎｈａ  Ｋ．によるＰｈｙｓ．  Ｒｅｓ．  ５１（１９７９年）１１２、及び、Ｆｉｓｅｎｋｏ  Ｓ．他によるＰｈｙｓ．  Ｌｅｔｔ．  Ａ、１４８、、７、９（１９９０年）４０５をも含む）。従って、量子レベルにおける相対性理論の方程式の一般化の問題の本質は、「このような一般化が、量子及び古典的な領域における重力定数の数値と一致しなければならない」と略述されている。
【００３６】
これらの結果の発展において、アインシュタインの場の方程式のマイクロレベルの近似として、「質量ｍ0を具備した素粒子のローカリゼーション領域内の重力場は、その適切な重力場内における粒子の定常状態に結びつく重力定数Ｋ及び定数∧の値によって特徴付けられ、このような粒子の定常状態は、ニュートンの重力定数Ｇを有する重力場のソースである」という仮定に基づいて、モデルが提案されている。
【００３７】
重力理論における最も一般的な方法は、ねじれを考慮すると共に、重力場をその他の基本的な場と等しい項に対して作用するゲージ場として取り扱う方法である（Ｉｖａｎｅｎｋｏ他による「Ｇａｇｅ  Ｔｈｅｏｒｙ  ｏｆ  Ｇｒａｖｉｔａｔｉｏｎ」、Ｍｏｓｃｏｗ、ＭＧＵ  Ｐｕｂｌｉｓｈｉｎｇ  Ｈｏｕｓｅ、１９８５年（ロシア語））。このような方法は、先験性を欠いており、微視的なレベルにおいて制限を付与していない。質量ｍ0を有する基本的なスピノルソースの場合には、採用されている仮定に従って適切な重力場内におけるその状態を表す式の組は、次のような形態を具備することになる。
【００３８】
【数１】
2015092495.tif 000003
【００３９】
本明細書の本文においては、κ＝８πＫ／ｃ4、κ’＝８πＧ／ｃ4という表記法を使用しており、Ｅnは、定数Ｋ、∧＝κμを有する適切な重力場内における定常状態のエネルギーであり、ｒnは、適切な重力場
【００４０】
【数２】
2015092495.tif 000004
【００４１】
内における平衡ｎ状態を満足する座標ｒの値であり、κ0は、次元定数
【００４２】
【数３】
2015092495.tif 000005
【００４３】
であり、∇μは、ねじれとは独立したスピノル結合共変微分係数あり、Ｅ’nは、定数Ｇを有する適切な重力場内における波動関数Ψ’によって表される質量ｍn（フリー又は場、或いは、外部の場内のもの）を具備する粒子のエネルギー状態である。表記法の残りの部分は、重力理論において一般的に利用されているものである。
【００４４】
式（１）〜式（５）は、適切な重力場内における粒子の平衡状態（定常状態）を表しており、平衡状態を満足する定数Ｋによって特徴付けられる場のローカリゼーション（局在）領域を定義している。これらの定常状態は、定数Ｇを有する場のソースであり、条件（３）は、解を重力定数Ｋ及びＧとマッチングさせる段階を提供している。物理的な側面において、提案モデルは、量子力学の原理と互換性を有しており、平衡状態によって指定された特定の非常に明確な距離における定数Ｋ及び∧を有する重力場は、定数Ｇを具備すると共に、弱い場の限度内においてポアソン方程式を満足する場に変化する。
【００４５】
第１に、式（１）〜式（５）の組は、定常状態の問題（即ち、独自の重力場内における元素ソースのエネルギースペクトル計算の問題）に関して興味深い。この意味において、電気力学との（特に、クーロン場内における電子定常状態の問題との）類似性を使用するのが合理的である。シュレーディンガー方程式からクライン−ゴードン相対性理論方程式への遷移により、クーロン場内における電子エネルギースペクトルの微細構造を考慮することが可能となり、ディラック方程式への遷移により、スピン−軌道相互作用と関連する相対性理論の微細構造とエネルギーレベルの分割を考慮することが可能となる。この類似性と式（１）の形態を使用することにより、項
【００４６】
【数４】
2015092495.tif 000006
【００４７】
を伴わないこの式の解は、微細構造のものに類似したスペクトルを付与すると結論付けることが可能である（相対性理論と主量子数縮退の除去の意味において類似している）。Ｓｉｒａｖａｍ  Ｃ．及びＳｉｎｈａ  Ｋ．によるＰｈｙｓ．  Ｒｅｓ．  ５１（１９７９年）１１２に記述されているように、項
【００４８】
【数５】
2015092495.tif 000007
【００４９】
を考慮することは、パウリ方程式における項
【００５０】
【数６】
2015092495.tif 000008
【００５１】
を考慮することに類似している。後者は、考慮されたねじれを有する定常状態の問題の解が、相対性理論の微細構造と、考慮されたスピン−ツイスト相互作用によって引き起こされるエネルギー状態の分割の両方を有する総合的なエネルギー状態スペクトルを付与することになることを意味している。この事実（これは、重力のゲージ理論の要件に完全に合致している）により、我々は、量子領域内の重力場の特性に関する前述の仮定が、一般的なケースにおいて、ツイストを有する重力場に対して適切なものであると確信することができる。
【００５２】
この問題の解明における複雑性のため、我々は、相対的に単純な近似（即ち、相対性理論の微細構造近似におけるエネルギースペクトル計算）を利用せざるを得ない。この近似においては、適切な重力場における元素ソースの定常状態の問題は、次の式を解くことに簡略化されることになる。
【００５３】
【数７】
2015092495.tif 000009
【００５４】
Ψ＝ｆEl（ｒ）Ｙlm（θ，φ）ｅｘｐ（−ｉＥｔ／ｈ）という形態のΨによる置換と、式
【００５５】
【数８】
2015092495.tif 000010
【００５６】
によって定義されているインターバルを有する中央対称場メトリックにおける特定の演算の後に、式（６）−（８）は、式（１４）−（１５）から導出される（Ｌａｎｄａｕ  Ｌ．  Ｄ．、Ｌｉｆｓｈｉｔｚ  Ｅ．  Ｍ．による「Ｆｉｅｌｄ  Ｔｈｅｏｒｙ」、Ｍｏｓｃｏｗ、Ｎａｕｋａ  Ｐｕｂｌｉｓｈｅｒｓ、１９７６年）。
【００５７】
【数９】
2015092495.tif 000011
【００５８】
以上においては、次のような表記法が使用されている。ｆmは、明確なエネルギーＥ及び軌道モーメントｌを有する状態を表す半径方向の波動関数であり（以下においては、添え字Ｅｌは、省略する）、Ｙｌｍ（θ，φ）は、球関数であり、Ｋn＝Ｅn／ｈｃ、Ｋ0＝ｃｍ0／ｈ、β＝（ｋ／４π）（ｈ／ｍ0）である。
【００５９】
条件（９）は、ｒnを定義しており、式（１０）〜（１２）は、それぞれ、境界条件と、関数ｆの正規化条件である。一般的なケースにおける条件（９）は、Ｒ（Ｋ，ｒn）＝Ｒ（Ｇ，ｒn）という形態を具備している。定数Ｇを有する適切な重力場を無視することにより、我々は、この条件をＲ（Ｋ，ｒn）と記述することになり、式（９）は、実際に、これに対応している。
【００６０】
式（７）、式（８）の右辺は、次の複素スカラー場のエネルギーモーメンタムテンソルの一般的な表現に基づいて算出される。
【００６１】
【数１０】
2015092495.tif 000012
【００６２】
適切な成分Ｔμvは、Ψ＝ｆ（ｒ）Ｙlm（θ，φ）ｅｘｐ（−ｉＥｔ／ｈ）の式（１７）への置換の後に、球関数の特性アイデンティティの適用を伴うインデックスｍにわたる加算によって取得される（Ｗａｒｓｈａｌｏｖｉｃｈ  Ｄ．  Ａ．他による「Ｑｕａｎｔｕｍ  Ｔｈｅｏｒｙ  ｏｆ  Ａｎｇｕｌａｒ  Ｍｏｍｅｎｔｕｍ」、Ｌｅｎｉｎｇｒａｄ、Ｎａｕｋａ  Ｐｕｂｌｉｓｈｅｒｓ、１９７５年（ロシア語））。
【００６３】
最も単純な近似においても、適切な重力場内における元素ソースの定常状態の問題は、複雑な数学的問題である。これは、我々が我々自身をエネルギースペクトルのみの推定に限定すれば、より単純になる。式（６）は、多くの方法により、次の式に簡略化可能である（Ｅ．  Ｋａｍｋｅ、「Ｄｉｆｆｅｒｅｎｔｉａｌｇｌｅｉｃｈｕｎｇｅｎ」、Ｌｏｓｕｎｇｓｍｅｔｈｏｄｅｎ  ｕｎｄ  Ｌｏｓｕｎｇｅｎ、Ｌｅｉｚｉｇ、１９５９年）。
【００６４】
ｆ’＝ｆＰ（ｒ）＋Ｑ（ｒ）ｚ、ｚ’＝ｆＦ（ｒ）＋Ｓ（ｒ）ｚ      （１８）
【００６５】
この遷移は、次の条件を満足するように、Ｐ、Ｑ、Ｆ、Ｓの特定の選択肢を意味している。
【００６６】
Ｐ＋Ｓ＋Ｑ’／Ｑ＋ｇ＝０、ＦＱ＋Ｐ’＋Ｐ2＋Ｐｇ＋ｈ＝０      （１９）
【００６７】
ここで、ｇ及びｈは、ｆ”＋ｇｆ’＋ｈｆ＝Ｑという形態で記述された式（６）に対応している。条件（１９）は、具体的には、次のように記述されたＰ、Ｑ、Ｆ、Ｓによって満足される。
【００６８】
Ｑ＝１、Ｐ＝Ｓ＝−ｇ／２、Ｆ＝（１／２）ｇ’＋（１／４）ｇ2−ｈ      （２０）
【００６９】
組（１８）の解は、次の関数となる（Ｅ．  Ｋａｍｋｅ、「Ｄｉｆｆｅｒｅｎｔｉａｌｇｌｅｉｃｈｕｎｇｅｎ，  Ｌｏｓｕｎｇｓｍｅｔｈｏｄｅｎ  ｕｎｄ  Ｌｏｓｕｎｇｅｎ」、Ｌｅｉｚｉｇ、１９５９年）。
【００７０】
ｆ＝Ｃρ（ｒ）ｓｉｎθ（ｒ）、ｚ＝Ｃρ（ｒ）ｃｏｓθ（ｒ）      （２１）
【００７１】
ここで、Ｃは、任意の定数であり、θ（ｒ）は、次の式の解である。
【００７２】
θ’＝Ｑｃｏｓ2θ＋（Ｐ−Ｓ）ｓｉｎθｃｏｓθ−Ｆｓｉｎ2θ      （２２）
【００７３】
そして、ρ（ｒ）は、次の式から得られる。
【００７４】
【数１１】
2015092495.tif 000013
【００７５】
このケースにおいては、極座標において解を提示する形態により、θ＝ｎπの対応する値を有するｒ＝ｒnにおける関数ｆ（ｒ）のゼロを判定可能である（ｎは、整数である）。ｖ、λの最も単純な近似の１つとして、我々は、次の従属性を選択することにする。
【００７６】
【数１２】
2015092495.tif 000014
【００７７】
先程、Ｋ≒１．７ｘ１０29Ｎｍ2ｋｇ-2であるＫの推定値を採用した。我々が、電子の静止質量ｍ1の観察値が、適切な重力場内における基底定常状態におけるその質量であると仮定すれば、ｍ0＝４ｍ1／３である。次元に関する配慮から、拘束された状態におけるエネルギーは、式
【００７８】
【数１３】
2015092495.tif 000015
【００７９】
によって定義されることになる（ここで、ｒ1は、古典的な電子半径である）。これは、推定値Ｋ≒５．１ｘ１０31Ｎｍ2ｋｇ-2に結びつき、これが後に開始点として採用される。異なる方法によって取得された推定値Ｋの違いは許容可能である（これらの特性は、破壊的ではないため、尚更、許容可能である）。μが電子エネルギー密度であるという条件から、μ＝１．１ｘ１０30Ｊ／ｍ3、∧＝κμ＝４．４ｘ１０29ｍ-2が導出される。式（２２）（これは、考慮されたｆ（ｒ）の式を有している）から、次式が導出される。
【００８０】
【数１４】
2015092495.tif 000016
【００８１】
式（２５）の積分と、θ＝πｎ、ｒ＝ｒnの置換により、次のようなＫnとｒnの間の関係が付与される。
【００８２】
【数１５】
2015092495.tif 000017
【００８３】
式（２６）内に入る係数は、積分に必要な多項式の展開の単純な一部分における係数であり、この場合に、αi〜Ｋn、ｄ2〜Ａi〜ｒn-5、Ｂi〜ｒn-4、Ａ’i〜ｒn-2、ａi〜ｒn-4、ｄ1＝ｒn-4である。式（２６）からｒnを除去するべく、条件（９）（又は、利用されている近似においては、これに等しいｅｘｐ  ｖ（Ｋ，ｒn）＝１という条件）が存在しているが、この直接的に使用すれば、既に面倒である式（２６）が更に複雑化することになる。同時に、ｒn〜１０-3ｒncであることに容易に気付くが、ここで、ｒncは、質量ｍnの粒子のコンプトン波長であり、従って、ｒn〜１０-3Ｋn-1である。関係（２６）自体は、相当の近似であるが、それにも拘わらず、その利用可能性は、近似の精度とは無関係に、ｒ≦ｒnの範囲内における独自の重力場との粒子の自己相互作用の結果としてのエネルギースペクトルの存在を意味している（ここで、場と粒子の相互補償動作が発生する）。ｌ＝０の場合に、ｒnとＫnの間の関係を考慮すると、近似解（２６）は、次の形態を具備しており、ここで、α＝１．６５、β＝１．６０である。
【００８４】
Ｅn＝Ｅ0（１＋αｅ-βn）-1      （２７）
【００８５】
関係（２７）は、電子の静止質量の観察値は、適切な重力場内における基底定常状態におけるその質量の値であるという仮定から出発することにより、具体化され、値ｒ1＝２．８２ｘ１０-15ｍ、Ｋl＝０．４１ｘ１０12ｍ-1は、Ｋ及びＡの数値の定義により、関数の正確なゼロを付与する。
【００８６】
従って、提示された電子の推定値は、Ｋ〜１０31Ｎｍ2ｋｇ-2及び∧〜１０29ｍ-2を有するそのローカリゼーションの範囲内に、適切な重力場内における定常状態のスペクトルが存在していることを示している。Ｋの数値は、確かに、あらゆる元素ソースについて普遍的であり、∧の値は、元素ソースの静止質量によって定義される。定数Ｋを有する重力場がローカライズされる距離は、コンプトン波長を下回っており、例えば、電子の場合には、この値は、その古典的な半径のレベルである。これを上回る距離においては、重力場は、定数Ｇによって特徴付けられる（即ち、古典的なＧＴＲへの正しい遷移が有効である）。
【００８７】
式（２７）から、粗い近似において、Ｅ1＝０．５１１ＭｅＶ、Ｅ2＝０．６３８ＭｅＶ、．．．、Ｅ∞＝０．６８１Ｍｅｖという定常状態エネルギーの数値が導出される。
【００８８】
定常状態を超えての量子遷移は、定数Ｋによって特徴付けられる重力放射に必ず結びつくことになり、遷移エネルギーは、１２７ｋｅＶから１７０ｋｅＶである。ここでは、２つの状況が非常に重要である。
【００８９】
第１に、重力的な「電荷」ｍ√Ｋによる電荷ｅの置換に関して、電磁的及び重力的な相互作用間における一致が発生し、この結果、数値Ｋが、同一レベルにおいて電磁及び重力放射効果を有することになる（例えば、電磁及び重力制動放射断面は、放射スペクトルの一致領域内においては、０．１６のファクタしか異なっていない）。
【００９０】
第２に、前述の電子定常状態のスペクトル内におけるエネルギーレベルの自然な幅は、１０-9ｅＶ〜１０-7ｅＶとなる。実際の状態における電子エネルギーの広がりと比較した場合のこのエネルギーレベル幅の小さな値は、付帯現象における大量現象として（例えば、ターゲットに対する電子ビーム制動放射のプロセスにおいて）重力放射効果が観察されない理由を説明している。定数Ｋを有する独自の重力場内における電子定常状態の存在の直接的な確認は、核のβ崩壊の下位境界の存在であってよい。この境界から開始することによってのみ、β−非対称性が発生可能であり、これは、弱い相互作用におけるパリティの非保存として解釈されるが、実際には、β崩壊における独自の重力場内における電子の励起状態の存在の結果に過ぎない。β−非対称性は、磁場内の重い原子核のβ−崩壊内においてのみ、実験的に観察されている（例えば、Ｗｕによって行われた既知の実験における27Ｃ60（Ｗｕ  Ｔｓ．  Ｓ．、Ｍｏｓｈｋｏｖｓｋｉｉ  Ｓａ．  Ａ．、「Ｂｅｔａ−ｄｅｃａｙ」、Ａｔｏｍｉｚｄａｔ、Ｍｏｓｃｏｗ、１９７０（ロシア語））。β崩壊の非対称性がまだ発生していない1Ｈ3などの軽い原子核については、類似の実験は行われていない。
【００９１】
［２．プラズマ内における重力放射の条件（プラズマ内におけ重力放射の励起）］
前述の独自の場及びエネルギーレベル幅における定常状態にわたる遷移エネルギーの場合に、重力放射を大量現象として実現可能な唯一のオブジェクトは、後述する推定から導出されるように、高密度高温プラズマとなる。
【００９２】
制動放射断面のボルン近似を使用することにより、我々は、次のような単位時間当たりの容積の単位当たりの電磁制動放射の式を記述可能である。
【００９３】
【数１６】
2015092495.tif 000018
【００９４】
ここで、Ｔe、ｋ、ｎi、ｎe、ｍ、ｚ、ｒ0は、それぞれ、電子温度、ボルツマン定数、イオン及び電子成分の濃度、電子質量、イオン成分の連番、古典的な電子半径である。
【００９５】
ｒ0をｒg＝２Ｋｍ／ｓ2によって置換することにより（これは、重力的な電荷ｍ√Ｋ）による電荷ｅの置換に対応している）、我々は、重力制動放射について、次の関係を使用可能である。
【００９６】
Ｑg＝０．１６Ｑe      （２９）
【００９７】
式（２８）から、パラメータｎe＝ｎi＝１０23ｍ-3、Ｔe＝１０7Ｋを有する高密度高温プラズマにおいては、電磁制動放射のパワーは、≒０．５３  １０10Ｊ／ｍ3ｓに等しく、重力制動放射のパワーは、０．８６・１０9Ｊ／ｍ3ｓである。そのエネルギーが独自の重力場内における遷移のエネルギーレベルである電子の相対的な比率は、Ｔeの減少に伴ってマクスウェル分布指数に従って減少するため、これらのプラズマパラメータの値は、明らかに、かなりの重力放射レベルのガイド閾値として採用可能である。
【００９８】
［３．カスケード遷移による重力放射のロッキング及び増幅と、磁場エリアから注入されたプラズマ内における多電子原子のイオンによる基底エネルギーレベルからの自発放射のクエンチング］
Ｔe＝Ｔ1＝（１０7−１０8）Ｋ、ｎe＝ｎi＝（１０23−１０25）ｍ-3というプラズマパラメータの数値の場合には、電磁制動放射スペクトルは、基本的に、電子放射のコンプトン散乱に伴って変化することはなく、且つ、制動放射自体が高温プラズマの放射損失のソースである。この連続的なスペクトルの周波数は、（１０18−１０20）ｓ-1のレベルであり、前述のプラズマパラメータにおけるプラズマ周波数は、（１０13−１０14）ｓ-1である（又は、０．１ｅＶの放射量子エネルギーである）。
【００９９】
電磁制動放射と重力制動放射の基本的な違いは、独自の重力場内における電子定常状態のスペクトルに対応した重力放射の帯状スペクトルである。
【０１００】
上位励起レベルから下位のものへのカスケード遷移の存在は、電子（これは、１００ｋｅＶを上回るエネルギー領域内において励起されることになる）が、主に、ｅＶ領域内において放射されることに結びつくことになる（即ち、下位周波数領域へのスペクトルに沿ったエネルギー移動が発生することになる）。このようなエネルギー移動メカニズムは、独自の重力場内における下位電子エネルギーレベルからの自発放射をクエンチングする際にのみ発生可能である（この結果、ｋｅＶの領域内の量子エネルギーを有する放射が妨げられる）。スペクトルに沿ったエネルギー移動のメカニズムの詳細な説明として、その正確な数値的特性を以下において付与することとする。但し、重力制動放射のスペクトルの帯状特性によって条件付けられるその存在の事実は、明らかに主張可能である。重力制動放射スペクトルの低周波数特性は、ωg≦０．５√（１０3ｎe）というロッキング条件が満足されることにより、プラズマ内におけるその増幅に結びつくことになる。
【０１０１】
放射重力場によって圧縮された高温プラズマの状態の実際的な実現の観点においては、２つの状況が重要である。
【０１０２】
第１に、プラズマは、２つの成分を有していなければならない（多価イオンを水素に追加する。これらのイオンは、独自の重力場内における基底エネルギーレベルからの電子の自発放射をクエンチングするのに必要である）。このためには、フリー励起電子のエネルギーレベルに近い電子エネルギーレベルを有するイオンを具備することが必要である。励起電子のエネルギーとイオン内における電子励起エネルギーの間に共振が存在している場合に、電子の下位励起状態のクエンチングが特に効果的なものとなる（限度内において最も好ましいケースは、イオン化エネルギーである）。ｚの増大により、重力制動放射のパワーも増大し、この結果、ωg≦０．５√（１０3ｎe）という条件が満足されることにより、圧縮プラズマの許容可能なパラメータ値ｎe＝（１＋ａ）ｎi＝（１０25−１０26）ｍ-3、ａ＞２、Ｔe≒Ｔe＝１０8Ｋ、ｚ＞１０の場合に、Δｔ＝（１０-6−１０-7）ｓにおいて、次のようにガス動力学的圧力と放射圧力が等しくなる。
【０１０３】
【数１７】
2015092495.tif 000019
【０１０４】
第２は、磁場領域からの後続のエネルギーポンピングを伴う一時的なパラメータｎe＝（１０23−１０24）ｍ-3、Ｔe＝（１０7−１０8）Ｋを有する磁場領域からのプラズマ排出の必要性である。
【０１０５】
以上の条件の充足（これは、原則的には、これらの条件を実現する装置の特定の方式とは無関係である）によって解決されるのは、プラズマの流体静力学的平衡状態の実現のみである。炭素は、核融合反応に必要な触媒として同時に機能することになるため、水素に対する添加剤としての多電子ガス（炭素）の使用は、核融合反応条件の実現に結びついている。
【０１０６】
クリプトン、キセノン（並びに、同族元素）などの多電子原子を成分要素とする核融合の別の変形は、軽い成分としての重水素−トリチウム混合物の使用である。
【０１０７】
プラズマの安定した高温状態を生成する既知の装置において実行されているプロセスの分析は（肯定的な結果が存在していないという事実と共に）、その高エネルギー状態の形成プロセスにおけるプラズマの保存及び加熱の第１段階において磁場を部分的にしか使用できないことを示唆している。磁場の更なる存在は、限定された容積内にプラズマをもはや閉じ込めることにはならず、磁場内における帯電粒子の特定の動作特性に起因し、このプラズマを破壊してしまう。この問題の主要な解決策は、この期間における磁場によるプラズマの圧縮、加熱、及び保持が完了した後に、第２段階において、放射重力場内において既に加熱されているプラズマを閉じ込める方法である。前述の内容から導出されるように、あらゆる状況下において、プラズマは、磁場領域から注入しなければならないが、磁場内に見出されるプラズマ領域からのエネルギーの後続のポンピングを伴っていなければならない。例えば、本出願の明細書内に提示されているマグネトプラズマのオリジナルの回路図が、ちょうど、これらの条件に対応している。
【０１０８】
請求の範囲に記載する方法は、次のような方式で実現される（図面を参照されたい）。高速作動バルブ１を通じて、２成分ガス（水素＋多電子ガス）を同軸円錐電極２、３の間のギャップに供給し、これに対して、放電回路５を通じて電圧を供給する。磁場を生成する放電が電極間を流れる。アンペア数の上昇による圧力下において、プラズマが、チャネルに沿って加速される。領域７内の出口において、このフローが、軸に収束し、ここに、高い密度と温度を有する圧縮の領域が生成される。圧縮領域７の形成は、送出プラズマジェット内を流れる流出電流によって助長される。陽極に供給される電圧（２０−４０）ｋＶと、作動ガスの開始圧力（０．５−０．８）ｍｍＨｇにより、形成放電内の電流が圧縮領域内において約１ＭＡに到達した際に、プラズマの重力場の励起に必要なプラズマパラメータｎe、ｎi＝（１０23−１０25）Ｍ-3及び温度Ｔe、Ｔi＝（１０7−１０8）Ｋの値に到達することになる。作動ガスの成分内の多電子原子のイオンの存在（これは、電子の基底エネルギーレベルからの重力放射のクエンチングに結びつく）と、独自の重力場内における電子定常状態のレベルに沿ったカスケード遷移は、高周波放射スペクトルから、プラズマ放射のロッキング及び増幅に対応した周波数を有する低周波のものへの変化に結びつくことになる。同時に、プラズマの密度と温度も、そのパルス注入に起因し、成長することになる。従って、その磁場領域からの注入後のプラズマの流体静力学的平衡状態への後続の圧縮（高密度高温プラズマの安定状態の形成）は、放射重力場によるプラズマの励起、ロッキング、及び圧縮に起因して発生し、プラズマパラメータｎe、ｎi＝（１０25−１０26）ｍ-3及びＴe、Ｔi＝１０8Ｋの実現を伴っている。
【０１０９】
この方式を重力放射の量子生成器（重力放射の量子生成器は、高密度プラズマの安定した高エネルギー状態の生成器である）として使用する際のこの方式と、プラズモダイナミック放電を得るために使用されている既知の方式（「Ｐｌａｓｍａ  Ａｃｃｅｌｅｒａｔｏｒｓ  ａｎｄ  Ｉｏｎ  Ｇｕｎｓ」という書籍（Ｍｏｓｃｏｗ、Ｎａｕｋａ、１９８４３年（ロシア語）内のＫａｍｒｕｋｏｖ  Ａ．  Ｓ．他による「Ｇｅｎｅｒａｔｏｒｓ  ｏｆ  ｌａｓｅｒ  ａｎｄ  ｐｏｗｅｒｆｕｌ  ｔｈｅｒｍａｌ  ｒａｄｉａｔｉｏｎ，  ｂａｓｅｄ  ｏｎ  ｈｅａｖｙ−ｃｕｒｒｅｎｔ  ｐｌａｓｍｏｄｙｎａｍｉｃ  ｄｉｓｃｈａｒｇｅ」）との基本的な違いは次の通りである。即ち、（１）プラズモダイナミック放電に対応したボルト−アンペア特性を有する放電回路のパルス特性、（２）プラズマの必要な温度パラメータの実現という目的を含む水素成分と多電子ガス成分の明確な比率（それぞれ、約８０％及び２０％である）、及び（３）利用される多電子ガス内の電子エネルギーレベルと（自身の重力場内における）下位電子エネルギーレベルの緊密な一致、である。なおこの一致は、クリプトンやキセノンなどを多電子ガスとして使用することを必要としており、この場合には、電子の励起された下位エネルギー状態をクエンチングするための要件によって下方から、並びに、必要なプラズマ温度を実現するための要件によって上方から制限される両方の多電子原子の割合を調節する必要がある。
【０１１０】
当業者であれば、本発明の実施における様々な変更及び変形が可能であり、これらは、いずれも、本出願人の請求項の範囲内に包含されており、添付の請求項の組内に反映されていることを理解するであろう。
【符号の説明】
【０１１１】
１    ガス
２、３    電極
５    放電回路
【図１】
2015092495.tif 000020